(57)【特許請求の範囲】
【請求項１】
収納本体開口部に全面開放用蓋体と部分開放用蓋体を夫々開閉自在かつ係脱自在に設け、前記全面開放用蓋体の長手方向に直交する方向の略全幅に渡って部分開口部を設け、前記収納本体と前記全面開放用蓋体に前記収納本体と前記全面開放用蓋体が互いに係合される開閉部材を設けると共に、前記全面開放用蓋体に設けた部分開口部を覆う前記部分開放用蓋体と前記収納本体に前記部分開放用蓋体と前記収納本体が互いに係合される開閉部材を設け、かつ前記全面開放用蓋体と前記部分開放用蓋体の間に前記部分開放用蓋体が前記全面開放用蓋体の部分開口部周縁に係止されるようにした支持部を設けたことを特徴とする保冷容器。
【請求項２】
前記支持部は、部分開放用蓋体と全面開放用蓋体の部分開口部が形成された段部の対向面に設けたことを特徴とする請求項１記載の保冷容器。
【発明の詳細な説明】
【０００１】
【発明の属する技術分野】
この発明は、魚釣り等のレジャ−に用いる保冷容器に関する。
【０００２】
【従来の技術】
保冷容器は収納体内部の冷気が蓋体の開閉で外部に逃げるのを効率的に防止するため、蓋体の開閉方法を収納体開口部の全面開放用蓋体（大蓋体）と部分開放用蓋体（小蓋体）に区分したものが例えば、実開平５−９１３５３号公報で知られている。
前記公報の構成は、大蓋体を閉塞姿勢に維持する大蓋体用ロック具を、魚収納ボックスに取り付けるとともに、小蓋体を閉塞姿勢に維持する小蓋体用ロック具を小蓋体に取り付け、小蓋体用ロック具をロック状態にある大蓋体用ロック具に係合させて、小蓋体用ロック具をロック状態に設定すべく構成され、小蓋体が閉塞する姿勢で、小蓋体と大蓋体との接触部位に、互いに圧接して小蓋体を閉塞姿勢に維持するロック部を形成するように構成されている。
【０００３】
このため、部材の構成が複雑となり、部材の点数が多くなったり、高い精度が要求されるため、コスト高につながるものであった。
又、大蓋体用ロック具が解除されて開放されると、小蓋体は大蓋体との接触部位に、互いに圧接して小蓋体を閉塞姿勢に維持する構成となっているため、ショックを受けると小蓋体が大蓋体から外れて開く等の欠点がある。
更に大蓋体を開いた状態で、何等かの都合で小蓋体のみを保持していてショックを受けると大蓋体だけが倒れて閉じてしまうことがある。
大蓋体のみが不意に閉じると蓋体の開口部に指等を挾んだりして怪我をする危険がある。
【０００４】
【発明が解決しようとする課題】
解決しようとする問題点は、部材の構成が複雑となり、部材の点数が多くなったり、高い精度が要求されるため、コスト高につながる点である。
又、大蓋体用ロック具が解除されて開放されると、小蓋体は大蓋体との接触部位に、互いに圧接して小蓋体を閉塞姿勢に維持する構成となっているため、ショックを受けると小蓋体のみが大蓋体から外れて開く等のことである。
【０００５】
本発明の目的は前記欠点に鑑み、収納本体開口部に全面開放用蓋体と部分開放用蓋体を夫々開閉自在かつ係脱自在にすると共に、全面開放用蓋体に部分開放用蓋体を係脱自在にした保冷容器を提供することである。
【０００６】
【課題を解決するための手段】
上記課題を解決するために、
請求項１に係わる本発明は、収納本体開口部に全面開放用蓋体と部分開放用蓋体を夫々開閉自在かつ係脱自在に設け、前記全面開放用蓋体の長手方向に直交する方向の略全幅に渡って部分開口部を設け、前記収納本体と前記全面開放用蓋体に前記収納本体と前記全面開放用蓋体が互いに係合される開閉部材を設けると共に、前記全面開放用蓋体に設けた部分開口部を覆う前記部分開放用蓋体と前記収納本体に前記部分開放用蓋体と前記収納本体が互いに係合される開閉部材を設け、かつ前記全面開放用蓋体と前記部分開放用蓋体の間に前記部分開放用蓋体が前記全面開放用蓋体の部分開口部周縁に係止されるようにした支持部を設けたことを要旨とするものである。
請求項２に係わる本発明は、前記支持部は、部分開放用蓋体と全面開放用蓋体の対向面に設けたことを要旨とするものである。
【０００７】
【発明の実施の形態】
請求項１の本発明により、全面開放と部分開放の蓋体Ｂ、Ｃと開閉部材Ｄ、Ｅを低コストで製造出来る。
全面開放用蓋体Ｂと部分開放用蓋体Ｃの境目に大きな段差を作ることがなく、表面に凹凸のない蓋体を形成できるので、蓋体の表面に雨水が溜ることがない。
全面開放用蓋体Ｂと部分開放用蓋体Ｃは共に前後の両方向から開くことができ、又、収納本体Ａからの取り外しが可能なため使い勝手がよい。
【０００８】
請求項２の本発明により、構造が単純で、全面開放用蓋体Ｂと部分開放用蓋体Ｃが支持部５、７で係合するため、従来の圧接より外れ難く、全面開放用蓋体Ｂと部分開放用蓋体Ｃを一体にして収納本体Ａに対して開閉、着脱することが出来る。
【０００９】
【実施例】
以下、図示の実施例によって本発明を説明すると、図１から図１１は第１実施例で、図１は保冷容器の斜視図、図２は部分開放用蓋体が全面開放用蓋体から開放された斜視図、図３は保冷容器の正面図、図４は部分開放用蓋体が取り外された全面開放用蓋体の平面図、図５は収納本体の斜視図、図６は部分開放用蓋体に取り付けられた開閉部材の拡大裏面図、図７は部分開放用蓋体が取り外された全面開放用蓋体の裏面図、図８は部分開放用蓋体の裏面図、図９は（ａ）が全面開放用蓋体に開閉部材が取り付けられて収納本体から分離された分解要部断面側面図で（ｂ）が収納本体に全面開放用蓋体が重ねられて開閉部材が係合された要部断面側面図、図１０は（ａ）が収納本体に全面開放用蓋体が重ねられた要部断面側面図で（ｂ）が収納本体に全面開放用蓋体と部分開放用蓋体が重ねられて開閉部材で係合された要部断面側面図、図１１は全面開放用蓋体と部分開放用蓋体が重ねられて支持部が係合された要部断面側面図である。
【００１０】
保冷容器は、収納本体Ａと全面開放用蓋体Ｂと部分開放用蓋体Ｃと開閉部材Ｄ、Ｅで構成されている。
収納本体ＡはＥＶＡ（エチレン酢酸ビニ−ル）、ＰＶＣ（ポリ塩化ビニ−ル）、ＰＥ（ポリエチレン）等の合成樹脂シ−トで外表面部材１と内表面部材１′が溶着接合で略直方体状に一体に形成され、外表面部材１と内表面部材１′の間に保温材１０が収納されている。
収納本体Ａの開口部１ａの長手方向の外周縁には全面開放用蓋体Ｂ用の開閉部材Ｄの４個の受け部１ｂと部分開放用蓋体Ｃ用の開閉部材Ｅの４個の受け部１ｃが突出形成されている。
受け部１ｂ、１ｃは夫々上面に長手方向の凹部ａと下面に断面Ｕ字状で長手方向の凸部ｂが形成されている。
【００１１】
全面開放用蓋体ＢはＥＶＡ（エチレン酢酸ビニ−ル）、ＰＶＣ（ポリ塩化ビニ−ル）、ＰＥ（ポリエチレン）等の合成樹脂シ−トで外表面部材２と内表面部材２′が溶着接合で略直方板状に一体に形成され、外表面部材２と内表面部材２′の間に保温材１０が収納されている。
図１から図４、図７のように内表面部材２′の両側に２組の連係金具３がビス１１で固定されている。
２組の連係金具３の両腕部３ａには開閉部材Ｄに両端が固定された連結杆４が回動自在に通されて開閉部材Ｄは連結杆４を軸芯として回動可能となっている。
外表面部材２には全面開放用蓋体Ｂの長手方向の略半分でかつ直交する方向の略全幅に渡る大きさの部分開放用蓋体Ｃが嵌まる段部である大きな凹部２ａが形成され、凹部２ａの平面２ｂに部分開口部２ｃが形成されている。
部分開口部２ｃの周囲の２側の平面２ｂに図１１のように一方の支持部５が固定されている。
一方の支持部５は板バネが屈曲形成されている。
【００１２】
部分開放用蓋体ＣはＥＶＡ（エチレン酢酸ビニ−ル）、ＰＶＣ（ポリ塩化ビニ−ル）、ＰＥ（ポリエチレン）等の合成樹脂シ−トで外表面部材６と内表面部材６′が溶着接合で両端が屈曲した略直方板状に一体に形成され、外表面部材６と内表面部材６′の間に保温材１０が収納されている。
図１から図３、図６、図８、図９（ｂ）のように内表面部材６′の両側に２組の連係金具３がビス１１で固定されている。
２組の連係金具３の両腕部３ａには開閉部材Ｅに両端が固定された連結杆４が回動自在に通されて開閉部材Ｅは連結杆４を軸芯として回動可能となっている。
内表面部材６′に部分開口部２ｃに嵌まる四角形の凸部６ａとパッキング１２が嵌まる凹部６ｂが形成されている。
凸部６ａの周囲の２側の平面６ｃに図２、図８、図９のように一方の支持部５に対応する他方の支持部７が固定されている。
他方の支持部７は球頭で形成されている。
【００１３】
開閉部材Ｅは図６のように変形長方形の板８に２組の連結杆４の両端が固定され、連結杆４に平行に２組の係合杆９が板８に両端が固定されている。
開閉部材Ｄについても同様である。
【００１４】
収納本体Ａに全面開放用蓋体Ｂが取り付けられて開閉部材Ｄで係合される時は、図９のように収納本体Ａに全面開放用蓋体Ｂが重ねられて両側の２組の連係金具３に取り付けられた連結杆４が４個の受け部１ｂの凹部ａに載せるように嵌め込まれ、連結杆４を中心に開閉部材Ｄが下方に回動されると、２組の係合杆９が４個の受け部１ｂの下方の凸部ｂの下側の頂部を乗り越えて係合される。
全面開放用蓋体Ｂの平面２ｂ上に部分開放用蓋体Ｃが載せられて収納本体Ａに開閉部材Ｅで係合される時は、図１０のように部分開放用蓋体Ｃの両側の２組の連係金具３に取り付けられた連結杆４が４個の受け部１ｃの凹部ａに載せるように嵌め込まれ、連結杆４を中心に開閉部材Ｅが下方に回動されると、２組の係合杆９が４個の受け部１ｃの下方の凸部ｂの下側の頂部を乗り越えて係合される。
【００１５】
更に全面開放用蓋体Ｂの平面２ｂ上に部分開放用蓋体Ｃが載せられると、図１１のように全面開放用蓋体Ｂ側の板バネの屈曲で形成された一方の支持部５に部分開放用蓋体Ｃ側の球頭で形成された他方の支持部７が嵌合されて係合される。
【００１６】
前記のように保冷容器が構成されると、全面開放用蓋体Ｂは収納本体Ａに開閉部材Ｄで係合され、部分開放用蓋体Ｃは収納本体Ａに開閉部材Ｅで係合されると共に、全面開放用蓋体Ｂ側の一方の支持部５と部分開放用蓋体Ｃ側の他方の支持部７が係合されるので、部分開口部２ｃは四角形の凸部６ａで閉塞され、開閉部材Ｄと開閉部材Ｅの係合が外されていても、全面開放用蓋体Ｂと部分開放用蓋体Ｃは確実に係合され、全面開放用蓋体Ｂと部分開放用蓋体Ｃを一体にして収納本体Ａに対して開閉したり、着脱することが出来る。
開閉部材Ｄ、Ｅは対称形の２組で形成されて部品点数が少なくなる。
【００１７】
保冷容器が前記のように構成されると、全面開放と部分開放の蓋体Ｂ、Ｃと開閉部材Ｄ、Ｅを低コストで製造出来る。
全面開放用蓋体Ｂと部分開放用蓋体Ｃの境目に大きな段差を作ることがなく、表面に凹凸のない蓋体を形成できるので、蓋体の表面に雨水が溜ることがない。
全面開放用蓋体Ｂと部分開放用蓋体Ｃは共に前後の両方向から開くことが出来て、使い勝手がよい。
構造が単純で、全面開放用蓋体Ｂと部分開放用蓋体Ｃが支持部５、７で係合するため、従来の圧接より外れ難く、全面開放用蓋体Ｂと部分開放用蓋体Ｃを一体にして収納本体Ａに対して開閉、着脱することが出来る。
【００１８】
前記説明では、開閉部材Ｄと開閉部材Ｅは独立して別個に係合が解除されるように構成したので、部分開放用蓋体Ｃ側の開閉部材Ｅを係合状態で全面開放用蓋体Ｂ側の開閉部材Ｄを解除しても全面開放用蓋体Ｂを開くことが出来ないが、両側の開閉部材Ｄの少なくとも一方の開閉部材Ｄに連結杆を固定して開閉部材Ｅ側に向けて突出し、開閉部材Ｄを解除した時、開閉部材Ｅの裏面に突出させた連結杆を当接させて開閉部材Ｅも連動して解除されるように構成してもよい。
【００１９】
図１２は支持部の第１変形例で、図１２は全面開放用蓋体と部分開放用蓋体の要部正面図である。
【００２０】
第１変形例では、部分開放用蓋体Ｃの両側で全面開放用蓋体Ｂと部分開放用蓋体Ｃの対向面に、全面開放用蓋体Ｂ側に凹部からなる支持部２ｄが、部分開放用蓋体Ｃ側に凸部からなる支持部６ｄが形成されている。
他の構成は前記第１実施例と略同一である。
【００２１】
図１３は支持部の第２変形例で、図１３は全面開放用蓋体と部分開放用蓋体の要部正面図である。
【００２２】
第２変形例では、部分開放用蓋体Ｃの両側で全面開放用蓋体Ｂと部分開放用蓋体Ｃの対向面に、全面開放用蓋体Ｂ側に凸部からなる支持部２ｅが、部分開放用蓋体Ｃ側に凸部からなる支持部６ｅが形成されている。
他の構成は前記第１実施例と略同一である。
【００２３】
【発明の効果】
本発明は、以上説明したような形態で実施され、以下に記載されるような効果を奏する。
【００２４】
全面開放と部分開放の蓋体と開閉部材と支持部を低コストで製造できる。
全面開放用蓋体と部分開放用蓋体の境目に大きな段差を作ることがなく、表面に凹凸のない蓋体を形成できるので、蓋体の表面に雨水が溜まることがない。
全面開放用蓋体と部分開放用蓋体は共に前後の両方向から開くことが出来て、使い勝手がよい
【００２５】
構造が単純で、全面開放用蓋体と部分開放用蓋体が支持部で係合するため、従来の圧接より外れ難く、全面開放用蓋体と部分開放用蓋体を一体にして収納本体に対して開閉、着脱することが出来る。
【図面の簡単な説明】
【図１】第１実施例で、保冷容器の斜視図である。
【図２】同部分開放用蓋体が全面開放用蓋体から開放された斜視図である。
【図３】同保冷容器の正面図である。
【図４】同部分開放用蓋体が取り外された全面開放用蓋体の平面図である。
【図５】同収納本体の斜視図である。
【図６】同部分開放用蓋体に取り付けられた開閉部材の拡大裏面図である。
【図７】同部分開放用蓋体が取り外された全面開放用蓋体の裏面図である。
【図８】同部分開放用蓋体の裏面図である。
【図９】同（ａ）が全面開放用蓋体に開閉部材が取り付けられて収納本体から分離された分解要部断面側面図で（ｂ）が収納本体に全面開放用蓋体が重ねられて開閉部材が係合された要部断面側面図である。
【図１０】同（ａ）が収納本体に全面開放用蓋体が重ねられた要部断面側面図で（ｂ）が収納本体に全面開放用蓋体と部分開放用蓋体が重ねられて開閉部材で係合された要部断面側面図である。
【図１１】同全面開放用蓋体と部分開放用蓋体が重ねられて支持部が係合された要部断面側面図である。
【図１２】支持部の第１変形例で、全面開放用蓋体と部分開放用蓋体の要部正面図である。
【図１３】支持部の第２変形例で、全面開放用蓋体と部分開放用蓋体の要部正面図である。
【符号の説明】
Ａ  収納本体
Ｂ  全面開放用蓋体
Ｃ  部分開放用蓋体
Ｄ、Ｅ  開閉部材
２ａ  凹部
２ｃ  部分開口部
２ｄ、２ｅ、５、６ｄ、６ｅ、７  支持部
【図１】
0003816698.tif 000002
【図２】
0003816698.tif 000003
【図３】
0003816698.tif 000004
【図４】
0003816698.tif 000005
【図５】
0003816698.tif 000006
【図６】
0003816698.tif 000007
【図７】
0003816698.tif 000008
【図８】
0003816698.tif 000009
【図９】
0003816698.tif 000010
【図１０】
0003816698.tif 000011
【図１１】
0003816698.tif 000012
【図１２】
0003816698.tif 000013
【図１３】
0003816698.tif 000014